(57)【特許請求の範囲】
【請求項１】
装置本体に対して着脱可能な用紙カセットから繰出された用紙を搬送するフィードローラと、用紙カセット装着領域内に位置し、フィードローラに圧接して回転するリタードローラとにより、繰出された用紙を１枚に分離する給紙機構において、
前記装置本体に対して回動可能に設けられ、前記リタードローラを前記フィードローラとの圧接位置から、前記用紙カセットの抜脱方向、且つ、鉛直方向において前記用紙カセット装着領域より上方の退避位置へ移動可能に支持するブラケットと、
前記用紙カセットを前記装置本体に対して着脱することで、前記リタードローラを前記用紙カセット装着領域と前記退避位置との間を移動するように前記ブラケットを回動させるギア機構とを設け、
前記用紙カセットの装着動作に伴って前記ギア機構をしてリタードローラが前記退避位置から前記用紙カセット装着領域へ移動するように前記ブラケットを回動させ、前記用紙カセットの抜脱動作に伴って前記ギア機構をして前記リタードローラが前記用紙カセット装着領域から前記退避位置へ移動するように前記ブラケットを回動させることを特徴とする給紙機構。
【請求項２】
前記ギア機構は、
前記ブラケットに設けられた第１のギア部と、
前記用紙カセットと当接し、回動する端部が設けられたレバーギアと、
前記第１のギア部と前記レバーギアの間に設けられ、レバーギアの回動を前記第１のギア部に伝達する第２のギア部と
が設けられる請求項１に記載の給紙機構。
【請求項３】
前記ギア機構は、
前記レバーギアを前記用紙カセットの装着動作方向と対向する方向へ付勢する付勢部材が更に設けられる請求項２に記載の給紙機構。
【請求項４】
装置本体に対して着脱可能な用紙カセットから繰出された用紙を搬送するフィードローラと、用紙カセット装着領域内に位置し、フィードローラに圧接して回転するリタードローラとにより、繰出された用紙を１枚に分離する給紙機構において、装置本体に対して回動可能に設けられ、リタードローラを回転可能に支持するブラケットと、前記ブラケットに形成された回転体と、用紙カセットの側部に形成され、前記回転体が当接するガイド部とを設け、用紙カセットの抜脱時に前記回転体が前記ガイド部に沿って移動することにより前記ブラケットが回動して前記リタードローラが用紙カセット装着領域から退避する方向に移動することを特徴とする給紙機構。
【請求項５】
前記ブラケットを、前記回転体が前記ガイド部に密着するように付勢する付勢手段を設けた請求項４記載の給紙機構。
【請求項６】
装置本体に対して着脱可能な用紙カセットから繰出された用紙を搬送するフィードローラと、用紙カセット装着領域内に位置し、フィードローラに圧接して回転するリタードローラとにより、繰出された用紙を１枚に分離する給紙機構において、装置本体に対して回動可能に設けられ、リタードローラを回転可能に支持するブラケットと、リタードローラが前記用紙カセット装着領域から退避する方向に前記ブラケットを付勢する付勢手段と、用紙カセットに設けられ、リタードローラを前記用紙カセット装着領域内において保持する保持手段と、用紙カセットに設けられ、前記保持手段によるリタードローラの保持を解除する解除手段とを設けたことを特徴とする給紙機構。
【請求項７】
用紙カセットの側部に形成したラックと、前記ラックに係合して前記フィードローラを回転させるギア部と、前記ブラケットの退避方向への回転により、前記ギア部の回転を、フィードローラの回転方向と逆方向になるようにリタードローラに伝達する回転伝達手段とを設けた請求項６記載の給紙機構。
【請求項８】
装置本体に対して着脱可能な用紙カセットから繰出された用紙を搬送するフィードローラと、用紙カセット装着領域内に位置し、フィードローラに圧接して回転するリタードローラとにより、繰出された用紙を１枚に分離する給紙機構において、装置本体に対して回動可能に設けられ、リタードローラを回転可能に支持するブラケットと、リタードローラが前記用紙カセット装着領域から退避する方向に前記ブラケットを付勢する付勢手段と、用紙カセットに設けられ、リタードローラを前記用紙カセット装着領域内において保持する保持手段と、用紙カセットに設けられ、前記保持手段によるリタードローラの保持を解除する解除手段と、駆動源からの回転力を受け、前記ブラケットをリタードローラが前記退避位置から前記用紙カセット装着領域内に移動するように回動させる第１のギア機構と、駆動源からの回転力を受け、用紙が載置される用紙載置板を用紙繰出し位置側へ付勢する第２のギア機構とを設け、前記駆動源は用紙カセットが装置本体に装着された後に駆動されることを特徴とする給紙機構。
【請求項９】
前記ブラケットの回動中心はフィードローラの回転中心とは異なる位置にある請求項１、２、３、４、５、６または８のいずれか１項に記載の給紙機構。
【発明の詳細な説明】
【０００１】
【発明の属する技術分野】
本発明は、プリンタや複写機において用紙カセットに収納された用紙を１枚ずつ供給する給紙機構に関する。
【０００２】
【従来の技術】
従来、用紙カセットを着脱可能に装着するプリンタにおいて、用紙カセットから繰出された用紙を１枚ずつに分離する手段として、用紙を搬送するためのフィードローラとこれに接触して回転するリタードローラとにより分離を行う方式（リタード方式）が採られている。即ち、フィードローラは用紙を搬送する方向に回転し、リタードローラは逆に用紙を押し戻す方向に回転する（トルクリミッタによりフィードローラと同方向に回転する）ことにより、フィードローラに接触する１枚のみを搬送するようにしている。このリタード方式は、いわゆる分離パッドを使用する方式に較べて分離性能が優れている。
【０００３】
また用紙補給やジャム用紙の除去などの際には用紙カセットを装置本体から引き抜くが、リタード方式では、リタードローラがフィードローラの下側に位置し、用紙カセットの着脱移動範囲内に進出しているので、従来は用紙カセットはリタードローラに干渉しない装置の側部方向に引き抜く構造としている。
【０００４】
【発明が解決しようとする課題】
しかしながら上記従来の給紙機構においては、分離性能の点でリタード方式が優れているが、用紙補給やジャム用紙の除去などの際には用紙カセットを装置の側部から抜き差しをしなければならないので、使い勝手が悪いとともに、装置の側部側に用紙カセット着脱のためのスペースを必要とするという問題があった。即ち、分離性能と使い勝手又はスペースの問題を両立させるのは困難であるという問題があった。
【０００５】
【課題を解決するための手段】
上記課題を解決するために第１の発明は、装置本体に対して着脱可能な用紙カセットから繰出された用紙を搬送するフィードローラと、用紙カセット装着領域内に位置し、フィードローラに圧接して回転するリタードローラとにより、繰出された用紙を１枚に分離する給紙機構において、前記装置本体に対して回動可能に設けられ、前記リタードローラを前記フィードローラとの圧接位置から、前記用紙カセットの抜脱方向、且つ、鉛直方向において前記用紙カセット装着領域より上方の退避位置へ移動可能に支持するブラケットと、前記用紙カセットを前記装置本体に対して着脱することで、前記リタードローラを前記用紙カセット装着領域と前記退避位置との間を移動するように前記ブラケットを回動させるギア機構とを設け、前記用紙カセットの装着動作に伴って前記ギア機構をしてリタードローラが前記退避位置から前記用紙カセット装着領域へ移動するように前記ブラケットを回動させ、前記用紙カセットの抜脱動作に伴って前記ギア機構をして前記リタードローラが前記用紙カセット装着領域から前記退避位置へ移動するように前記ブラケットを回動させることを特徴とする給紙機構である。
【０００６】
上記第１の発明によれば、用紙カセットを引き抜くと、その動作に伴って、リタードローラが用紙カセット装着領域から退避位置へ移動するようにブラケットが回動する。また用紙カセットを装着すると、その動作に伴って、リタードローラが退避位置から用紙カセット装着領域へ移動するようにブラケットが回動する。これにより用紙カセットをリタードローラが装着されている方向に着脱することが可能になる。
【０００７】
また第２の発明の給紙機構は、装置本体に対して回動可能に設けられ、リタードローラを回転可能に支持するブラケットと、前記ブラケットに形成された回転体と、用紙カセットの側部に形成され、前記回転体が当接するガイド部とを設け、用紙カセットの抜脱時に前記回転体が前記ガイド部に沿って移動することにより前記ブラケットが回動して前記リタードローラが用紙カセット装着領域から退避する方向に移動することを特徴とするものである。
【０００８】
上記第２の発明によれば、用紙カセットを引く抜くと、回転体が用紙カセットに形成されたガイド部に沿って移動し、ブラケットは回動しリタードローラが用紙カセット装着領域から退避位置へ移動する。また用紙カセットを装着すると、回転体が用紙カセットに形成されたガイド部に沿って前記と反対方向に移動し、ブラケットは前記と反対方向に回動してリタードローラが退避位置から用紙カセット装着領域へ移動する。これにより用紙カセットをリタードローラが装着されている方向に着脱することが可能になる。
【０００９】
さらに第３の発明の給紙機構は、装置本体に対して回動可能に設けられ、リタードローラを回転可能に支持するブラケットと、リタードローラが前記用紙カセット装着領域から退避する方向に前記ブラケットを付勢する付勢手段と、用紙カセットに設けられ、リタードローラを前記用紙カセット装着領域内において保持する保持手段と、用紙カセットに設けられ、前記保持手段によるリタードローラの保持を解除する解除手段とを設けたものである。
【００１０】
上記第３の発明によれば、用紙カセットが装着されているとき、リタードローラは保持手段により用紙カセット装着領域内に保持されている。これによりフィードローラが回転してもリタードローラは移動しない。用紙カセットを引く抜く場合、まず解除手段により保持手段によるリタードローラの保持を解除し、その後用紙カセットを引く抜くと、付勢手段によりブラケットが回動しリタードローラが用紙カセット装着領域から退避位置へ移動する。また用紙カセットを装着すると、ブラケットが前記と反対方向に回動してリタードローラが退避位置から用紙カセット装着領域へ移動し、リタードローラは保持手段により保持される。
【００１１】
さらに第４の発明の給紙機構は、上記第３の発明の構成に加えて、用紙カセットの側部に形成したラックと、前記ラックに係合して前記フィードローラを回転させるギア部と、前記ブラケットの退避方向への回転により、前記ギア部の回転を、フィードローラの回転方向と逆方向になるようにリタードローラに伝達する回転伝達手段とを設けたものである。
【００１２】
上記第４の発明によれば、用紙カセットを引き抜くと、付勢手段によりブラケットが回動しリタードローラが用紙カセット装着領域から退避位置へ移動する。またこのとき用紙カセットに形成されたラックに係合するギア部がフィードローラを、挟まれている用紙があればそれを戻す方向に回転させ、回転伝達手段がリタードロ−ラをやはり挟まれている用紙があればそれを戻す方向に回転させる。これによりフィードローラとリタードローラに挟まれている用紙があればこれを用紙カセット内に戻すことができる。また用紙カセットを装着すると、ブラケットは前記と反対方向に回動してリタードローラが退避位置から用紙カセット装着領域へ移動し、リタードローラは保持手段により保持される。
【００１３】
さらに第５の発明の給紙機構は、装置本体に対して回動可能に設けられ、リタードローラを回転可能に支持するブラケットと、リタードローラが前記用紙カセット装着領域から退避する方向に前記ブラケットを付勢する付勢手段と、用紙カセットに設けられ、リタードローラを前記用紙カセット装着領域内において保持する保持手段と、用紙カセットに設けられ、前記保持手段によるリタードローラの保持を解除する解除手段と、駆動源からの回転力を受け、前記ブラケットをリタードローラが前記退避位置から前記用紙カセット装着領域内に移動するように回動させる第１のギア機構と、駆動源からの回転力を受け、用紙が載置される用紙載置板を用紙繰出し位置側へ付勢する第２のギア機構とを設け、前記駆動源は用紙カセットが装置本体に装着された後に駆動されることを特徴とするものである。
【００１４】
上記第５の発明によれば、用紙カセットが装着されているとき、リタードローラは保持手段により用紙カセット装着領域内に保持されている。これによりフィードローラが回転してもリタードローラは移動しない。用紙カセットを引く抜く場合、まず解除手段により保持手段によるリタードローラの保持を解除し、その後用紙カセットを引く抜くと、付勢手段によりブラケットが回動しリタードローラが用紙カセット装着領域から退避位置へ移動する。また用紙カセットを装着する場合、第１のギア機構が駆動源からの回転力を受け、ブラケットをリタードローラが退避位置から用紙カセット装着領域へ移動するように回転させ、リタードローラは保持手段により保持される。また第２のギア機構が、駆動源からの回転力を受け、用紙載置板を用紙繰出し位置側へ付勢し、用紙が繰出し可能な状態にする。
【００１５】
【発明の実施の形態】
以下、本発明の実施の形態を図面にしたがって説明する。以下に説明する本発明の実施の形態では、用紙カセットが着脱可能なプリンタの給紙機構について説明する。図１は本発明の第１の実施の形態の給紙機構を示す概略側面図である。図１において、第１の実施の形態の給紙機構１はホッピングローラ２、フィードローラ３およびリタードローラ４を有する。ホッピングローラ２およびフィードローラ３はプリンタ装置本体５に回転可能に設けられている。プリンタ装置本体５には固定ブラケット６が設けられ、固定ブラケット６には外側に回動ブラケット７およびギア８が取付けられている。リタードローラ４は回動ブラケット７に回転可能に取付けられている。
【００１６】
回動ブラケット７は固定ブラケット６に設けられた支点９を中心に回動し、ギア部１０を有するとともにその端部にリタードローラ４が回転可能に取付けられている。回動ブラケット７が支点９を中心に回動すると、リタードローラ４は公転する。回動ブラケット７には用紙ガイド２５が取付けられており、またローラ２６が取付けられている。
【００１７】
ギア８はギア部１０と噛み合い、また同軸の小ギア１１と一体になっている。小ギア１１はレバーギア１２と噛み合っている。レバーギア１２は、固定ブラケット１３に支軸１４を中心に回転可能に取付けられ、支軸１４に取付けられたトーションスプリング１５により常に時計回り方向に付勢されている。レバーギア１２の端部１２ａは用紙カセット１６側へ突出している。
【００１８】
装置本体５の下方には用紙カセット１６が着脱可能に設けられている。用紙カセット１６が装着されている状態では、リタードローラ４が用紙カセット１６の装着領域内に進出している。用紙カセット１６には保持ブラケット１８が支点１９を中心に回転可能に設けられ、スプリング２０により常に上方へ付勢されている。保持ブラケット１８はリタードローラ４の支軸２１を保持することによりリタードローラ４を所定位置に保持する。
【００１９】
用紙カセット１６内には用紙積載板２２が上下動可能に設けられており、この上に用紙２３が積載されている。用紙積載板２２の下側にはスプリング２４が配置されており、このスプリング２４により、用紙カセット１６が装着されているときは、最上部の用紙２３がホッピングローラ２に圧接している。
【００２０】
次に第１の実施の形態の動作を図１、図２により説明する。図２は第１の実施の形態の動作を示す概略側面図である。最初に用紙カセット１６を抜き出す動作を説明する。
【００２１】
図１に示す通常使用状態においては、保持ブラケット１８が回動ブラケット７に設けられたローラ２６を用紙カセット１６に設けられた突部２７に押しつけることにより、その位置を保持している。
【００２２】
用紙ジャム発生時や用紙補給時に、用紙カセット１６を装置本体５から引き抜くと、即ち、用紙カセット１６を矢印Ａ方向に移動させると、用紙カセット１６の端部１６ａに当接して規制されていたトーションスプリング１５によりレバーギア１２が時計回り方向に回転する。これによりレバーギア１２と噛み合う小ギア１１およびギア８を介して、回動ブラケット７のギア部１０が支点９を中心に時計回り方向に回動する。即ち、回動ブラケット７が時計回り方向に回動し、リタードローラ４が上方に移動する。
【００２３】
このとき、回動ブラケット７の支点９がフィードローラ３の回転中心とは異なる位置に設けてあるので、フィードローラ３とリタードローラ４の間が開き、用紙カセット１６を引く抜く際にフィードローラ３とリタードローラ４の間に用紙が挟まっていたとしても、その用紙は用紙カセット１６を引き抜く前に用紙カセット１６上に落下し、用紙カセット１６を引き出す際に、挟まった用紙が折れたり、丸まったりすることはなくなる。
【００２４】
用紙カセット１６の引き抜き動作に連動して、図示しない機構により、用紙積載板２２は下方へ移動し、用紙２３はホッピングローラ２から離れる。
【００２５】
レバーギア１２は用紙カセット１６の引出し動作に伴って回転するが、図２に示す位置で図示しないストッパにより停止し、この状態を維持される。このときリタードローラ４および用紙ガイド２５は、用紙カセット１６の移動領域から退避した位置にある。したがって用紙カセット１６のそれ以後の引出し動作を行うことが可能である。この状態で用紙の補給またはジャム用紙の除去を行う。
【００２６】
用紙補給またはジャム用紙の除去を行った後、用紙カセット１６を装置１５内に装着する際は、リタードローラ４は図２に示す状態になっているので、用紙カセット１６はリタードローラ４の下を通過して装着される。そして用紙カセット１６の用紙積載部分がリタードローラ４の下を通過した後、用紙カセット１６の端部１６ａがレバーギア１２の下部に当たってこれを押すことにより、レバーギア１２は反時計回り方向に回転し、レバーギア１２と噛み合う小ギア１１およびギア８を介して、回動ブラケット７のギア部１０が支点９を中心に反時計回り方向に回動する。即ち、回動ブラケット７が反時計回り方向に回動し、リタードローラ４が下方に移動し、元の位置に戻る。
【００２７】
以上のように第１の実施の形態によれば、用紙カセット１６の直線的な往復運動を回転運動に変換してリタードローラ４を上下動させることにより、用紙カセット１６を引出す際にはリタードローラ４を退避させ、用紙カセット１６を装着する際にはリタードローラ４を駆動位置へ戻すことが可能となり、これにより用紙カセット１６をリタードローラ４が装着されている方向に着脱することが可能になる。
【００２８】
次に第２の実施の形態を説明する。図３は本発明の第２の実施の形態の給紙機構を示す概略側面図である。図３において、第２の実施の形態の給紙機構３１はホッピングローラ２、フィードローラ３およびリタードローラ４を有する。フィードローラ３は、プリンタ装置本体５に回転可能に取付けられている。リタードローラ４は回動ブラケット３２に回転可能に取付けられ、用紙カセット１６の装着領域内に進出して設けられている。
【００２９】
装置本体５には回動ブラケット３２が支点３３を中心に回動可能に設けられ、この回動ブラケット３２にはシャフト３４が取付けられている。シャフト３４にはリタードローラ４とともにブラケット３５が取付けられている。ブラケット３５の端部にはコロ３６が回転自在に設けられ、コロ３６は用紙カセット１６の側壁４１に形成されたガイド部３７に接触するように設けられている。
【００３０】
また回動ブラケット３２には、回動ブラケット３２を上方に引っ張るスプリング３８と下方に引っ張るスプリング３９が取付けられている。スプリング３８の他端は装置本体５に取付けられている。スプリング３９の他端は、プリンタ本体5内にあり、用紙カセット１６の段差のある両側壁４１によって可動するリタード位置保持部材４０に取付けられている。用紙カセット１６が装着されている状態では、スプリング３９の引っ張り力の方がスプリング３８の引っ張り力より大きく設定されている。
【００３１】
図示してはいないが、第１の実施の形態と同様に、用紙カセット１６内には用紙積載板が上下動可能に設けられており、この上に用紙が積載されている。用紙積載板の下側にはスプリングが配置されており、このスプリングにより、用紙カセット１６が装着されているときは、最上部の用紙がホッピングローラ２に圧接している。また用紙カセット１６には保持ブラケット１８が支点１９を中心に回転可能に設けられ、スプリング２０により常に上方へ付勢されている。保持ブラケット１８はリタードローラ４のシャフト３４を保持することによりリタードローラ４を所定位置に保持する。
【００３２】
次に第２の実施の形態の動作を図３、図４および図５により説明する。図４および図５は第２の実施の形態の動作を示す概略側面図である。最初に用紙カセット１６を抜き出す動作を説明する。
【００３３】
図３に示す通常使用状態においては、スプリング３９が回動ブラケット３２を引っ張り、コロ３６が用紙カセット１６に設けられたガイド部３７に押しつけられることにより、その位置を保持している。
【００３４】
用紙ジャム発生時や用紙補給時に、用紙カセット１６を装置本体５から引き抜くと、即ち、用紙カセット１６を矢印Ａ方向に移動させ始めると、図４に示すように、コロ３６がガイド部３７に沿って上方へ移動し、回動ブラケット３２が支点３３を中心に時計回り方向に回動する。これによりリタードローラ４が上方に移動する。
【００３５】
このとき、回動ブラケット３２の支点３３がフィードローラ３の回転中心とは異なる位置に設けてあるので、フィードローラ３とリタードローラ４の間が開き、用紙カセット１６を引く抜く際にフィードローラ３とリタードローラ４の間に用紙が挟まっていたとしても、その用紙は用紙カセット１６を引き抜く前に用紙カセット１６上に落下し、用紙カセット１６を引き出す際に、挟まった用紙が折れたり、丸まったりすることはなくなる。
【００３６】
用紙カセット１６の引き抜き動作に連動して、図示しない機構により、用紙積載板は下方へ移動し、用紙はホッピングローラ２から離れる。
【００３７】
コロ３６はガイド部３７上を移動し、図５に示すように、用紙カセット１６の側壁４１の上部４１ａに乗る。この状態において、リタードローラ４および回動ブラケット３２は、用紙カセット１６の移動領域から退避した位置にある。したがって用紙カセット１６のそれ以後の引出し動作を行うことが可能である。
【００３８】
図５に示す状態において、用紙カセット１６の引出しにより保持部材４０が回動ブラケット３２に接近してくるので、スプリング３９の引っ張り力は弱くなる。そして用紙カセット１６を完全に装置本体５から引き抜くと、回動ブラケット３２はスプリング３８で吊られている状態になっている。この状態で用紙の補給またはジャム用紙の除去を行う。
【００３９】
用紙補給またはジャム用紙の除去を行った後、用紙カセット１６を装置１５内に装着する際は、リタードローラ４は図５に示すように用紙カセット１６の移動領域から退避した状態になっているので、用紙カセット１６はリタードローラ４の下を通過して装着される。そして用紙カセット１６の用紙積載部分がリタードローラ４の下を通過した後、スプリング３９の引張り力によりコロ３６がガイド部３７に沿って移動し、回動ブラケット３２が支点３３を中心に反時計回り方向に回動し、リタードローラ４が下方に移動し、元の位置に戻る。
【００４０】
以上のように第２の実施の形態によれば、用紙カセット１６を引出す際にはリタードローラ４を退避させ、用紙カセット１６を装着する際にはリタードローラ４を駆動位置へ戻すことが可能となり、これにより用紙カセット１６をリタードローラ４が装着されている方向に着脱することが可能となる。
【００４１】
また第２の実施の形態によれば、スプリング３８、３９と用紙カセット１６に形成したガイド部３７という簡単な構成によりリタードローラ４の退避および復帰を行うようにしたので、ユーザーの激しい取扱いに対して負荷を分散させることにより、用紙カセット１６の急激な挿抜動作に対応することができる。即ち、用紙カセット１６の抜き差しの速さに対応してリタードローラ４を上方に吊り上げることによって、用紙補充もしくはジャム用紙の除去を行うことができる。
【００４２】
次に第３の実施の形態を説明する。図６は本発明の第３の実施の形態の給紙機構を示す概略側面図である。図６において、第３の実施の形態の給紙機構５１はホッピングローラ２、フィードローラ３およびリタードローラ４を有する。リタードローラ４は、回動ブラケット５２に回転可能に取付けられ、用紙カセット１６の装着領域内に進出して設けられている。
【００４３】
装置本体５には回動ブラケット５２が支点５３を中心に回動可能に設けられ、この回動ブラケット５２にはシャフト５４が設けられており、このシャフト５４にリタードローラ４が設けられている。また回動ブラケット５２の下端にはコロ５５が回転自在に設けられ、コロ５５は用紙カセット１６の側壁４１に形成されたガイド溝部５６に入り込んでいる。
【００４４】
また回動ブラケット５２には、回動ブラケット５２を上方に引っ張るスプリング５７が取付けられている。スプリング５７の他端は装置本体５に取付けられている。
【００４５】
リタードローラ４が取付けられているシャフト５４の下方には保持用ブラケット５８が設けられている。保持用ブラケット５８は用紙カセット１６内に設けられ、その上部は略Ｕ字形をしている。その略Ｕ字形の部分には、３つのコロ５９がそれぞれ回転自在に設けられている。３つのコロ５９はシャフト５４に対して同時に３点で接触する位置にあり、この３つのコロ５９でシャフト５４を保持できるようになっている。コロ５９はリタードローラ４のすぐ脇でシャフト５４に接触する。
【００４６】
保持用ブラケット５８の下部にはスプリング６０が設けられ、このスプリング６０により保持用ブラケット５８は常に上方へ付勢されている。また保持用ブラケット５８にはポスト６１が形成され、ポスト６１にはＬ字形のリンク部材６２の一端が遊篏している。保持用ブラケット５８は上下方向にのみ移動可能であり、図における左右方向への移動は図示しない部材により規制されている。
【００４７】
リンク部材６２は支点６３を中心に回転自在になっており、他端にはポスト６４が設けられ、ポスト６４はリンク部材６５の一端に形成された長孔６６に遊篏している。リンク部材６５の他端は、レバー６７に設けられたポスト６８に遊篏している。レバー６７は支点６８を中心に回動可能になっており、また鍵部６９が設けられている。鍵部６９は、プリンタ装置本体５に設けられたピン７０に係合可能となっている。用紙カセット１６が装着された状態においては、レバー６７はスプリング６０により常に反時計回り方向に付勢する力が働き、鍵部６９がピン７０を係合した状態になっている。
【００４８】
また図示してはいないが、第１の実施の形態と同様に、用紙カセット１６内には用紙積載板が上下動可能に設けられており、この上に用紙が積載されている。用紙積載板の下側にはスプリングが配置されており、このスプリングにより、用紙カセット１６が装着されているときは、最上部の用紙がホッピングローラ２に圧接している。
【００４９】
次に第３の実施の形態の動作を図６、図７および図８により説明する。図７および図８は第３の実施の形態の動作を示す概略側面図である。最初に用紙カセット１６を抜き出す動作を説明する。
【００５０】
図６に示す通常使用状態においては、スプリング６０の付勢力によりレバー６７がピン７０に係合して用紙カセット１６が装置本体５から抜き出せないようになっている。また同時に、スプリング６０が保持用ブラケット５８を上方へ押し上げ、コロ５９を介してリタードローラ４をフィードローラ３に圧接した状態に保持している。
【００５１】
この状態から、ジャム用紙の除去や用紙補給のために、用紙カセット１６を装置本体５から引き抜くためには、まずオペレータがレバー６７を引いて時計回り方向に回動させ、鍵部６９をピン７０から解除する。なおレバー６７は用紙カセット１６の側壁４１の裏側に設けられている。なお鍵部６９のみ側壁４１より外側にあり、プリンタ装置本体５より出ているピン７０と係合する。レバー６７を回動させることにより、図７に示すようにリンク部材６５、６２が移動し、保持用ブラケット５８がスプリング６０の付勢力に抗して下方へ移動する。
【００５２】
保持用ブラケット５８の下方への移動により、コロ５９によるシャフト５４の保持およびリタードローラ４のフィードローラ３への圧接が解除される。以上の動作により、回動ブラケット５２は、回動ブラケット５２に設けられたコロ５５がガイド溝部５６内の規制を受けることによる規制を受けるだけとなる。即ち、回動ブラケット５２はスプリング５７により時計回り方向に常に付勢されているので、ガイド溝部５６の上部に当接する。
【００５３】
この状態で用紙カセット１６を矢印Ａ方向に移動させ始めると、コロ５５がガイド溝部５６に沿って上方へ移動し、回動ブラケット５２が支点５３を中心に時計回り方向に回動する。これによりリタードローラ４が上方に移動する。このとき、回動ブラケット５２の支点５３がフィードローラ３の回転中心とは異なる位置に設けてあるので、フィードローラ３とリタードローラ４の間が開き、用紙カセット１６を引く抜く際にフィードローラ３とリタードローラ４の間に用紙が挟まっていたとしても、その用紙は用紙カセット１６を引き抜く前に用紙カセット１６上に落下し、用紙カセット１６を引き出す際に、挟まった用紙が折れたり、丸まったりすることはなくなる。
【００５４】
用紙カセット１６の引き抜き動作に連動して、図示しない機構により、用紙積載板は下方へ移動し、用紙はホッピングローラ２から離れる。
【００５５】
コロ５５は、図８に示すように、ガイド溝部５６の上部に沿って移動し、回動ブラケット５２はスプリング５７により吊り下げられ、リタードローラ４および回動ブラケット５２は、用紙カセット１６の移動領域から退避した位置に移動する。したがって用紙カセット１６のそれ以後の引出し動作を行うことが可能である。そして用紙カセット１６を完全に装置本体５から引き抜いた状態においては、回動ブラケット５２はスプリング５７で吊られている状態になっている。なおこの状態において、コロ５５は用紙カセット１６の溝部上部７１よりは下方に位置している。この状態で用紙の補給またはジャム用紙の除去を行う。
【００５６】
用紙補給またはジャム用紙の除去を行った後、用紙カセット１６を装置１５内に装着する際は、リタードローラ４はスプリング５７により用紙カセット１６の移動領域から退避した状態になっているので、用紙カセット１６はリタードローラ４の下を通過して装着される。そして用紙カセット１６の用紙積載部分がリタードローラ４の下を通過した後、溝部上部７１がコロ５５に当接し、コロ５５をガイド溝部５６内に引き込む。
【００５７】
用紙カセット１６を更に奥方へ押しこむと、コロ５５がガイド溝部５６に沿ってさらに下降し、回動ブラケット５２が保持用ブラケット５８を下方へ押し込みながら支点５３を中心に反時計回り方向に回動し、リタードローラ４が下方に移動し、元の位置に戻る。リタードローラ４が元の位置に戻ると、保持用ブラケット５８のコロ５９によりリタードローラ４が保持される。またレバー６７の鍵部６９は用紙カセット１６の装着動作によりピン７０に当接した後回りこんで係合する。
【００５８】
以上のように第３の実施の形態によれば、用紙カセット１６を引出す際にはリタードローラ４を退避させ、用紙カセット１６を装着する際にはリタードローラ４を駆動位置へ戻すことが可能となり、これにより用紙カセット１６をリタードローラ４が装着されている方向に着脱することが可能となる。
【００５９】
リタードローラ４はこれと圧接するフィードローラ３の回転力により図５における左方向に負荷を受けるが、第３の実施の形態によれば、上下動可能な保持用ブラケット５８を設けてコロ５９によりリタードローラ４をすぐその脇から保持する構成としているので、リタードローラ４に対してフィードローラ３から負荷が掛かっても、シャフト５４が撓むようなことはない。したがって常に用紙の分離効率の優れた装置を提供できる。
【００６０】
次に第４の実施の形態を説明する。図９は本発明の第４の実施の形態の給紙機構を示す概略側面図、図１０は第４の実施の形態の給紙機構の要部を示す斜視図である。図９、図１０において、第４の実施の形態の給紙機構８１はホッピングローラ２、フィードローラ３およびリタードローラ４を有する。リタードローラ４は、回動ブラケット８２に回転可能に取付けられ、用紙カセット１６の装着領域内に進出して設けられている。
【００６１】
装置本体５には回動ブラケット８２が支点５３を中心に回動可能に設けられ、この回動ブラケット８２にはシャフト５４が設けられており、このシャフト５４にリタードローラ４が設けられている。また回動ブラケット８２の下端にはコロ５５が回転自在に設けられ、コロ５５は用紙カセット１６の側壁４１に形成されたガイド溝部５６に入り込んでいる。
【００６２】
また回動ブラケット８２には、回動ブラケット８２を上方に引っ張るスプリング５７が取付けられている。スプリング５７の他端は装置本体５に取付けられている。
【００６３】
シャフト８３には固定ギア８４が固着され、シャフト８３と一体に回転する。固定ギア８４にはアイドルギア８５が噛み合っており、アイドルギア８５は、装置本体５に設けられ、用紙カセット１６の側壁４１の上部に形成されたラック８６と噛み合い可能になっている。ラック８６はアイドルギア８５より奥側に形成され、用紙カセット１６が装着されている状態ではラック８６はアイドルギア８５に噛み合わず、用紙カセット１６が引出される際に噛み合うようになっている。
【００６４】
また図１０に示すように、シャフト８３にはガイドカム８７が遊篏して装着されている。ガイドカム８７は図示しない固定ブラケットに取付けられている。ガイドカム８７を図１２に示すが、ガイドカム８７の軸上には図１１に示すように回動ブラケット８２およびカム８８が取付けられている。回動ブラケット８２にはカム部８９が形成され、このカム部８９がカム８８と噛み合っている。またシャフト８３にはギア９０が取付けられ、ギア９０はシャフト８３と一体に回転すると共に、シャフト８３に沿って移動可能である。このギア９０はスプリング９１により常にカム８８に押しつけられている。
【００６５】
カム８８は回動ブラケット８２が回動することによりギア９０側へ移動する。ギア９０は通常はアイドルギア９２を介してギア９３に噛み合っているが、カム８８が移動することにより図１３に示すように、ギア９０は移動してアイドルギア９２から外れてギア９４と噛み合う。またギア９０はアイドルギア９５、９６を介してモータギア９７と噛み合っている。ギア９０がアイドルギア９２に噛み合っている場合、駆動モータ９８が回転することによりフィードローラ３とリタードローラ４は同方向に回転する。
【００６６】
リタードローラ４に近接してトルクリミッタ９９が取付けられている。トルクリミッタ９９はリタードローラ４を使用した分離機構において周知の要素であり、ここでの説明は省略する。なおトルクリミッタ９９は他の実施の形態でも所要するものである。
【００６７】
リタードローラ４が取付けられているシャフト５４の下方には保持用ブラケット５８が設けられている。保持用ブラケット５８は用紙カセット１６内に設けられ、その上部は略Ｕ字形をしている。その略Ｕ字形の部分には、３つのコロ５９がそれぞれ回転自在に設けられている。３つのコロ５９はシャフト５４に対して同時に３点で接触する位置にあり、この３つのコロ５９でシャフト５４を保持できるようになっている。コロ５９はリタードローラ４のすぐ脇でシャフト５４に接触する。
【００６８】
保持用ブラケット５８の下部にはスプリング６０が設けられ、このスプリング６０により保持用ブラケット５８は常に上方へ付勢されている。また保持用ブラケット５８にはポスト６１が形成され、ポスト６１にはＬ字形のリンク部材６２の一端が遊篏している。保持用ブラケット５８は上下方向にのみ移動可能であり、図における左右方向への移動は図示しない部材により規制されている。
【００６９】
リンク部材６２は支点６３を中心に回転自在になっており、他端にはポスト６４が設けられ、ポスト６４はリンク部材６５の一端に形成された長孔６６に遊篏している。リンク部材６５の他端は、レバー６７に設けられたポスト６８に遊篏している。レバー６７は支点６８を中心に回動可能になっており、また鍵部６９が設けられている。鍵部６９は、プリンタ装置本体５に設けられたピン７０に係合可能となっている。用紙カセット１６が装着された状態においては、レバー６７はスプリング６０により常に反時計回り方向に付勢する力が働き、鍵部６９がピン７０を係合した状態になっている。
【００７０】
また図示してはいないが、第１の実施の形態と同様に、用紙カセット１６内には用紙積載板が上下動可能に設けられており、この上に用紙が積載されている。用紙積載板の下側にはスプリングが配置されており、このスプリングにより、用紙カセット１６が装着されているときは、最上部の用紙がホッピングローラ２に圧接している。
【００７１】
次に第４の実施の形態の動作をさらに図１４、図１５を参照して説明する。図１４および図１５は第４の実施の形態の動作を示す概略側面図である。最初に用紙カセット１６を抜き出す動作を説明する。
【００７２】
図９に示す通常使用状態においては、スプリング６０の付勢力によりレバー６７がピン７０に係合して用紙カセット１６が装置本体５から抜き出せないようになっている。また同時に、スプリング６０が保持用ブラケット５８を上方へ押し上げ、コロ５９を介してリタードローラ４をフィードローラ３に圧接した状態に保持している。
【００７３】
図１０において、通常使用状態においてはギア９０はアイドルギア９２と噛み合っており、この状態で駆動モータ９８が駆動されるとフィードローラ３は矢印Ｂ方向に回転し、リタードローラ４も同方向、即ち矢印Ｂ方向に回転して、繰出される図示しない用紙を分離することができる。
【００７４】
この状態から、ジャム用紙の除去や用紙補給のために、用紙カセット１６を装置本体５から引き抜くためには、まずオペレータがレバー６７を引いて時計回り方向に回動させ、鍵部６９をピン７０から解除する。レバー６７を回動させることにより、図１４に示すようにリンク部材６５、６２が移動し、保持用ブラケット５８がスプリング６０の付勢力に抗して下方へ移動する。
【００７５】
保持用ブラケット５８の下方への移動により、コロ５９によるシャフト５４の保持およびリタードローラ４のフィードローラ３への圧接が解除される。以上の動作により、回動ブラケット８２は、回動ブラケット８２に設けられたコロ５５がガイド溝部５６内の規制を受けることによる規制を受けるだけとなる。即ち、回動ブラケット８２はスプリング５７により時計回り方向に常に付勢されているので、ガイド溝部５６の上部に当接する。
【００７６】
この状態で用紙カセット１６を矢印Ａ方向に移動させ始めると、コロ５５がガイド溝部５６に沿って上方へ移動し、回動ブラケット８２が支点５３を中心に時計回り方向に回動する。これによりリタードローラ４が上方に移動する。このとき、回動ブラケット５２の支点５３がフィードローラ３の回転中心とは異なる位置に設けてあるので、フィードローラ３とリタードローラ４の間が開き、用紙カセット１６を引く抜く際にフィードローラ３とリタードローラ４の間に用紙が挟まっていたとしても、その用紙は用紙カセット１６を引き抜く前に用紙カセット１６上に落下し、用紙カセット１６を引き出す際に、挟まった用紙が折れたり、丸まったりすることはなくなる。
【００７７】
また回動ブラケット８２が回動することにより、カム８８が図１０に示す矢印Ｄ方向へ移動し、ギア９０がアイドルギア９２から外れてギア９４と噛み合う。
【００７８】
用紙カセット１６の引き抜き動作に連動して、図示しない機構により、用紙積載板は下方へ移動し、用紙はホッピングローラ２から離れる。
【００７９】
コロ５５は、図１５に示すように、ガイド溝部５６の上部に沿って移動し、回動ブラケット８２はスプリング５７により吊り下げられ、リタードローラ４および回動ブラケット８２は、用紙カセット１６の移動領域から退避した位置に移動する。したがって用紙カセット１６のそれ以後の引出し動作を行うことが可能である。
【００８０】
用紙カセット１６を或る程度引き抜くと、図１５に示すように、用紙カセット側壁４１に形成されたラック８６がアイドルギア８５と噛み合う。さらに用紙カセット１６を引き抜くと、ラック８６の直線方向の移動がアイドルギア８５および固定ギア８４により回転運動に変換されて、フィードローラ３を図１０に示す矢印Ｃ方向に回転させる。このときギア９０はギア９４と噛み合っているので、リタードローラ４はフィードローラ３と逆方向、即ち、図１０に示す矢印Ｂ方向に回転する。
【００８１】
フィードローラ３とリタードローラ４の以上の回転動作により、用紙カセット１６を引き抜く際にフィードローラ３とリタードローラ４との間に用紙が挟まれている場合には、挟まれている用紙は用紙カセット１６を引き抜く方向と逆方向に戻されて両ローラ３、４の間から抜け出る。
【００８２】
そして用紙カセット１６を完全に装置本体５から引き抜いた状態においては、回動ブラケット８２はスプリング５７で吊られている状態になっている。なおこの状態において、コロ５５は用紙カセット１６の溝部上部７１よりは下方に位置している。この状態で用紙の補給またはジャム用紙の除去を行う。
【００８３】
用紙補給またはジャム用紙の除去を行った後、用紙カセット１６を装置１５内に装着する際は、リタードローラ４はスプリング５７により用紙カセット１６の移動領域から退避した状態になっているので、用紙カセット１６はリタードローラ４の下を通過して装着される。そして用紙カセット１６の用紙積載部分がリタードローラ４の下を通過した後、溝部上部７１がコロ５５に当接し、コロ５５をガイド溝部５４内に引き込む。
【００８４】
用紙カセット１６を更に奥方へ押しこむと、コロ５５がガイド溝部５４に沿ってさらに下降し、回動ブラケット８２が保持用ブラケット５８を下方へ押し込みながら支点５３を中心に反時計回り方向に回動し、リタードローラ４が下方に移動し、元の位置に戻る。リタードローラ４が元の位置に戻ると、保持用ブラケット５８のコロ５９によりリタードローラ４が保持される。またレバー６７の鍵部６９は用紙カセット１６の装着動作によりピン７０に当接した後回りこんで係合する。
【００８５】
回動ブラケット８２が反時計回り方向に回動すると、カム８８はスプリング９１の力により図１０に示す矢印Ｄ方向と反対の方向へ移動し、ギア９０はギア９４から外れて、アイドルギア９２と噛み合う。
【００８６】
以上のように第４の実施の形態によれば、用紙カセット１６を引出す際にはリタードローラ４を退避させ、用紙カセット１６を装着する際にはリタードローラ４を駆動位置へ戻すことが可能となり、これにより用紙カセット１６をリタードローラ４が装着されている方向に着脱することが可能となる。
【００８７】
また第４の実施の形態によれば、用紙カセット１６に形成したラック８６とギア機構およびカム機構により、用紙カセット１６を引き抜く際に、フィードローラ３とリタードローラ４を用紙を押し戻す方向へ回転させるようにしたので、フィードローラ３とリタードローラ４の間に用紙が挟まっている場合でも、挟まった用紙を強制的に押し戻すことができ、ジャム用紙の除去が容易になる。
【００８８】
次に第５の実施の形態を説明する。図１６は本発明の第５の実施の形態の給紙機構を示す概略側面図である。図１６において、第５の実施の形態の給紙機構１０１はホッピングローラ２、フィードローラ３およびリタードローラ４を有する。リタードローラ４は、回動ブラケット１０２に回転可能に取付けられてオリ、用紙カセット１６の装着領域内に進出して設けられている。
【００８９】
装置本体５には回動ブラケット１０２が支点１０３を中心に回動可能に設けられ、この回動ブラケット１０２には略楕円形の逃げ孔１０４と扇形のギア部１０５が形成されている。逃げ孔１０４にはフィードローラ３の軸１０６が貫通している。回動ブラケット１０２は用紙カセット１６の上部および用紙カセット１６の移動領域内に位置しているが、ギア部１０５は用紙カセット１６の側壁４１の外側へ突出して形成されている。
【００９０】
ギア部１０５はギア１０７と噛み合い、ギア１０７と同軸のギア１０８がギア１０９と噛み合っている。ギア１０９はギア１１０と噛み合い、ギア１１０と同軸のギア１１１が遊星ギア１１２と噛み合い可能に設けられている。遊星ギア１１２はモータギア１１３に噛み合うと共に、扇型ギア１１４と噛み合い可能に設けられている。
【００９１】
扇型ギア１１４はシャフト１１５を中心に回転可能に設けられ、このシャフト１１５にはまたリフター１１６が回動可能に設けられている。即ち、扇型ギア１１４が回転するとシャフト１１５が回転し、これによりリフター１１６が回動するようになっている。また遊星ギア１１２はモータギア１１３の回転方向により、ギア１１１と噛み合うかまたは扇型ギア１１４に噛み合う。またリフター１１６は用紙カセット１６の下方に設けられ、反時計回り方向に回動して用紙カセット１６内へ入り込み、用紙積載板２２を押し上げる。これらのギアは用紙カセット１６の外側で装置本体５に設けられている。
【００９２】
モータギア１１３はカップリング付きギアとなっており、用紙カセット１６が引き出される際に用紙カセット１６の側壁４１に形成された図示しない突部が当接することによりカップリングが外れ、モータ１１７の回転が伝達されないようになっている。用紙カセット１６の上記突部がモータギア１１３から離れると、スプリングの力により再びモータ１１７の回転が伝達可能になる。
【００９３】
また回動ブラケット１０２には、回動ブラケット１０２を上方に引っ張るスプリング５７が取付けられている。スプリング５７の他端は装置本体５に取付けられている。リタードローラ４は回動ブラケット１０２に回転可能に設けられている。
【００９４】
リタードローラ４が取付けられているシャフト５４の下方には保持用ブラケット５８が設けられている。保持用ブラケット５８は用紙カセット１６内に設けられ、その上部は略Ｕ字形をしている。その略Ｕ字形の部分には、３つのコロ５９がそれぞれ回転自在に設けられている。３つのコロ５９はシャフト５４に対して同時に３点で接触する位置にあり、この３つのコロ５９でシャフト５４を保持できるようになっている。コロ５９はリタードローラ４のすぐ脇でシャフト５４に接触する。
【００９５】
保持用ブラケット５８の下部にはスプリング６０が設けられ、このスプリング６０により保持用ブラケット５８は常に上方へ付勢されている。また保持用ブラケット５８にはポスト６１が形成され、ポスト６１にはＬ字形のリンク部材６２の一端が遊篏している。保持用ブラケット５８は上下方向にのみ移動可能であり、図における左右方向への移動は図示しない部材により規制されている。
【００９６】
リンク部材６２は支点６３を中心に回転自在になっており、他端にはポスト６４が設けられ、ポスト６４はリンク部材６５の一端に形成された長孔６６に遊篏している。リンク部材６５の他端は、レバー６７に設けられたポスト６８に遊篏している。レバー６７は支点６８を中心に回動可能になっており、また鍵部６９が設けられている。鍵部６９は、プリンタ装置本体５に設けられたピン７０に係合可能となっている。用紙カセット１６が装着された状態においては、レバー６７はスプリング６０により常に反時計回り方向に付勢する力が働き、鍵部６９がピン７０を係合した状態になっている。
【００９７】
次に第５の実施の形態の動作をさらに図１７乃至図２１を参照して説明する。図１７乃至図２１は第５の実施の形態の動作を示す概略側面図である。最初に用紙カセット１６を抜き出す動作を説明する。
【００９８】
図１６に示す通常使用状態においては、スプリング６０の付勢力によりレバー６７がピン７０に係合して用紙カセット１６が装置本体５から抜き出せないようになっている。また同時に、スプリング６０が保持用ブラケット５８を上方へ押し上げ、コロ５９を介してリタードローラ４をフィードローラ３に圧接した状態に保持している。また通常使用状態においては、モータギア１１３に噛み合う遊星ギア１１２は扇形ギア１１４と噛み合っている。
【００９９】
この状態から、ジャム用紙の除去や用紙補給のために、用紙カセット１６を装置本体５から引き抜くためには、まずオペレータがレバー６７を引いて時計回り方向に回動させ、鍵部６９をピン７０から解除する。レバー６７を回動させることにより、図１７に示すようにリンク部材６５、６２が移動し、保持用ブラケット５８がスプリング６０の付勢力に抗して下方へ移動する。
【０１００】
保持用ブラケット５８の下方への移動により、コロ５９によるシャフト５４の保持およびリタードローラ４のフィードローラ３への圧接が解除される。以上の動作により、回動ブラケット１０２は、スプリング５７により時計回り方向に支点１０３を中心に回動し、リタードローラ４は上方へ移動する。
【０１０１】
この状態で用紙カセット１６を矢印Ａ方向に移動させ始めると、用紙カセット１６の側壁４１に形成した図示しない突部がモータギア１１３に当接し、モータギア１１３のカップリングを外す。これによりモータギア１１３、モータギア１１３と噛み合う遊星ギア１１２および扇形ギア１１４がフリーに回転するようになり、リフター１１６は、図１８に示すように、用紙積載板２２の重さで時計回り方向に回動して下降する。これにより用紙カセット１６を引き抜き可能になる。
【０１０２】
用紙カセット１６を引く抜いて、用紙補給またはジャム用紙の除去を行った後、用紙カセット１６を装置１５内に装着する際は、リタードローラ４はスプリング５７により用紙カセット１６の移動領域から退避した状態になっているので、用紙カセット１６はリタードローラ４の下を通過して装着される。そして図１９に示すように、用紙カセット１６を完全に奥まで装着する。この装着によりモータギア１１３はカップリングが噛み合い、モータ１１７の回転が伝達される。また用紙カセット１６の装着により、図示しない検出センサにより用紙カセット１６の装着が検出され、これによりモータ１１７が正回転する。
【０１０３】
モータ１１７の正回転により、図１９に示すように、モータギア１１３が時計回り方向に回転し、これにより遊星ギア１１２が扇形ギア１１４から離れて上方へ移動し、ギア１１１と噛み合う。モータギア１１３の回転は、遊星ギア１１２、ギア１１１、１１０、１０９、１０８、１０７を介して、回動ブラケット１０２のギア部１０５に伝達され、回動ブラケット１０２は支点１０３を中心に反時計回り方向に回動し、リタードローラ４は下方に移動し、元の位置に戻る。
【０１０４】
リタードローラ４は元の位置に戻る際、保持用ブラケット５８を押し下げ、元の位置に到達した時点で、図示しないセンサにより検出される。このセンサの検出によりモータ１１７が停止される。
【０１０５】
その後、モータ１１７が逆方向に回転し、これによりモータギア１１３は反時計回り方向に回転し、遊星ギア１１２を下方へ移動させ、遊星ギア１１２は扇形ギア１１４と噛み合う。これにより扇形ギア１１４は反時計回り方向に回転し、図２０および図２１に示すように、リフター１１６は反時計回り方向に回動して、用紙積載板２２を押し上げる。用紙積載板２２の上昇が図２１に示すセンサ１１９により検出されると、モータ１１７の駆動が停止される。
【０１０６】
以上のように第５の実施の形態によれば、用紙カセット１６を引出す際にはリタードローラ４を退避させ、用紙カセット１６を装着する際にはリタードローラ４を駆動位置へ戻すことが可能となり、これにより用紙カセット１６をリタードローラ４が装着されている方向に着脱することが可能となる。
【０１０７】
また第５の実施の形態によれば、用紙カセット１６を引き抜く前にリタードローラ４を用紙カセット１６の移動領域から完全に退避させ、またこのときフィードローラ３とリタードローラ４の間が開くので、用紙カセット１６を引く抜く際にフィードローラ３とリタードローラ４の間に用紙が挟まっていたとしても、その用紙は用紙カセット１６を引き抜く前に用紙カセット１６上に落下し、用紙カセット１６を引き出す際に、挟まった用紙が折れたり、丸まったりすることはなくなる。
【０１０８】
またもしユーザがレバー６７だけを操作して（引くことによりロックを解除して）、用紙カセット１６を装置本体５から引き抜かなかった場合、フィードローラ３とリタードローラ４の間に挟まっていた用紙は用紙カセット１６上に落下するが、モータ１１７により元の位置に戻されるリタードローラ４により、落下した用紙は用紙積載板２２上に確実に戻される。
【０１０９】
【発明の効果】
以上詳細に説明したように本発明によれば、用紙カセットを引出す際にはリタードローラを退避させ、用紙カセットを装着する際にはリタードローラを駆動位置へ戻すことが可能となり、これにより用紙カセットをリタードローラが装着されている方向に着脱することが可能となる。
【図面の簡単な説明】
【図１】本発明の第１の実施の形態の給紙機構を示す概略側面図である。
【図２】第１の実施の形態の動作を示す概略側面図である。
【図３】第２の実施の形態の給紙機構を示す概略側面図である。
【図４】第２の実施の形態の動作を示す概略側面図である。
【図５】第２の実施の形態の動作を示す概略側面図である。
【図６】第３の実施の形態の給紙機構を示す概略側面図である。
【図７】第３の実施の形態の動作を示す概略側面図である。
【図８】第３の実施の形態の動作を示す概略側面図である。
【図９】第４の実施の形態の給紙機構を示す概略側面図である。
【図１０】第４の実施の形態の給紙機構の要部を示す斜視図である。
【図１１】ガイドカムを示す斜視図である。
【図１２】ガイドカムを示す斜視図である。
【図１３】ギア９０の移動を示す説明図である。
【図１４】第４の実施の形態の動作を示す概略側面図である。
【図１５】第４の実施の形態の動作を示す概略側面図である。
【図１６】第５の実施の形態の給紙機構を示す概略側面図である。
【図１７】第５の実施の形態の動作を示す概略側面図である。
【図１８】第５の実施の形態の動作を示す概略側面図である。
【図１９】第５の実施の形態の動作を示す概略側面図である。
【図２０】第５の実施の形態の動作を示す概略側面図である。
【図２１】第５の実施の形態の動作を示す概略側面図である。
【符号の説明】
１  給紙機構
３  フィードローラ
４  リタードローラ
５  プリンタ装置本体
７  回動ブラケット
１２  レバーギア
１６  用紙カセット
２３  用紙
【図１】
0004231617.tif 000002
【図２】
0004231617.tif 000003
【図３】
0004231617.tif 000004
【図４】
0004231617.tif 000005
【図５】
0004231617.tif 000006
【図６】
0004231617.tif 000007
【図７】
0004231617.tif 000008
【図８】
0004231617.tif 000009
【図９】
0004231617.tif 000010
【図１０】
0004231617.tif 000011
【図１１】
0004231617.tif 000012
【図１２】
0004231617.tif 000013
【図１３】
0004231617.tif 000014
【図１４】
0004231617.tif 000015
【図１５】
0004231617.tif 000016
【図１６】
0004231617.tif 000017
【図１７】
0004231617.tif 000018
【図１８】
0004231617.tif 000019
【図１９】
0004231617.tif 000020
【図２０】
0004231617.tif 000021
【図２１】
0004231617.tif 000022